【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
発光ダイオード、前記発光ダイオードの駆動電流経路に接続される駆動トランジスタ、および、前記駆動トランジスタの制御ノードに結合する保持キャパシタを含む画素回路と、
前記駆動トランジスタに対する補正とデータ電圧の前記制御ノードへの書き込みとを行ってから前記発光ダイオードに発光可能バイアスを印加し、前記発光可能バイアスを印加した発光許可期間の間に、前記データ電圧を前記保持キャパシタに保持させたまま前記発光可能バイアスを非発光バイアスに変化させる発光中断期間を設け、前記発光許可期間の後に、前記発光ダイオードを逆バイアスして発光停止を行う発光停止処理を一定期間行う駆動回路と、
を有する自発光型表示装置。
【請求項２】
前記発光停止処理を行う発光停止期間中に前記保持キャパシタの保持電圧を初期化する
請求項１に記載の自発光型表示装置。
【請求項３】
前記駆動トランジスタに対する補正は、前記データ電圧の前記制御ノードへの書き込みと共に行われる移動度補正である
請求項１または２に記載の自発光型表示装置。
【請求項４】
前記補正の開始から前記発光停止処理を行う発光停止期間の終了までが一定の画面表示期間として規定され、
前記駆動回路は、前記発光ダイオードを発光させる発光許可期間の長さを、前記発光中断期間の長さを変更することで制御する
請求項１または２に記載の自発光型表示装置。
【請求項５】
前記駆動回路は、前記発光中断期間と前記発光停止処理を行う発光停止期間において、前記発光ダイオードを逆バイアスすることにより非発光にする
請求項１または２に記載の自発光型表示装置。
【請求項６】
前記駆動回路は、前記発光可能バイアスが前記発光ダイオードに印加されるが発光できない所定期間の空発光を、前記発光許可期間の最初に行い、前記空発光後の前記発光中断期間の開始とともに前記発光可能バイアスを前記非発光バイアスに変化させ、所定期間の経過を待って前記非発光バイアスを前記発光可能バイアスに戻す
請求項１または２に記載の自発光型表示装置。
【請求項７】
前記駆動回路は、前記発光可能バイアスが前記発光ダイオードに印加されるが発光できない所定期間の空発光を、前記発光許可期間の最後に行い、前記空発光後の前記発行停止処理の開始とともに前記発光可能バイアスを前記非発光バイアスに変化させるとともに、前記保持電圧を初期化する
請求項２に記載の自発光型表示装置。
【請求項８】
前記駆動回路は、前記発光許可期間内で、前記発光ダイオードが発光可能な長さの発光許可期間と前記発光中断期間を、所定回数繰り返す
請求項１または２に記載の自発光型表示装置。
【請求項９】
発光ダイオード、前記発光ダイオードの駆動電流経路に接続される駆動トランジスタ、および、前記駆動トランジスタの制御ノードに結合する保持キャパシタを含む画素回路を備える自発光型表示装置の駆動方法であって、
前記発光ダイオードを逆バイアスして発光停止を行う一定期間の発光停止処理ステップと、
前記駆動トランジスタに対する補正とデータ電圧の前記制御ノードへの書き込みとを行う補正・書き込みステップと、
前記書き込んだデータ電圧に応じて、前記発光ダイオードに発光可能バイアスを印加する発光可能バイアスの印加ステップと、
前記発光可能バイアスの印加期間の間に、前記データ電圧を前記保持キャパシタに保持させたまま前記発光可能バイアスを非発光バイアスに変化させる発光中断のステップと、
を含む自発光型表示装置の駆動方法。
【請求項１０】
前記発光停止処理ステップにおいて、前記発光ダイオードを逆バイアスして発光停止を行うとともに前記保持キャパシタの保持電圧を初期化する
請求項９に記載の自発光型表示装置の駆動方法。
【請求項１１】
前記補正・書き込みステップと、前記発光可能バイアスの印加ステップと、前記発光中断のステップと、前記発光可能バイアスへの復帰と、前記発光停止処理ステップとが、この順で一定の画面表示期間として規定され、
前記発光可能バイアスの印加ステップと、前記発光中断のステップと、発光可能バイアスの復帰とにおいて、前記発光ダイオードを発光させる発光許可期間の長さを、前記発光中断の期間長を変更することで制御する
請求項９または１０に記載の自発光型表示装置の駆動方法。
【手続補正２】
【補正対象書類名】明細書
【補正対象項目名】０００７
【補正方法】変更
【補正の内容】
【０００７】
本発明の一形態（第１形態）に関わる自発光型表示装置は、発光ダイオード、前記発光ダイオードの駆動電流経路に接続される駆動トランジスタ、および、前記駆動トランジスタの制御ノードに結合する保持キャパシタを含む画素回路と、駆動回路とを有する。
前記駆動回路は、前記駆動トランジスタに対する補正とデータ電圧の前記制御ノードへの書き込みとを行ってから前記発光ダイオードに発光可能バイアスを印加し、前記発光可能バイアスを印加した発光許可期間の間に、前記データ電圧を前記保持キャパシタに保持させたまま前記発光可能バイアスを非発光バイアスに変化させる発光中断期間を設け、前記発光許可期間の後に、前記発光ダイオードを逆バイアスして発光停止を行う発光停止処理を一定期間行う。
【手続補正３】
【補正対象書類名】明細書
【補正対象項目名】０００８
【補正方法】変更
【補正の内容】
【０００８】
本発明の他の形態（第２形態）に関わる自発光型表示装置は、上記第１形態の特徴に加えて、次の特徴を有する。
すなわち、第２形態の自発光型表示装置は、前記補正の開始から前記発行停止処理を行う発光停止期間の終了までが一定の画面表示期間として規定され、前記駆動回路は、前記発光ダイオードを発光させる発光許可期間の長さを、前記発光中断期間の長さを変更することで制御する。
【手続補正４】
【補正対象書類名】明細書
【補正対象項目名】０００９
【補正方法】変更
【補正の内容】
【０００９】
本発明の他の形態（第３形態）に関わる自発光型表示装置は、上記第１形態の特徴に加えて、次の特徴を有する。
すなわち、第３形態の自発光型表示装置において、前記駆動回路は、前記発光中断期間と前記発光停止処理を行う発光停止期間において、前記発光ダイオードを逆バイアスすることにより非発光にする。
【手続補正５】
【補正対象書類名】明細書
【補正対象項目名】００１０
【補正方法】変更
【補正の内容】
【００１０】
本発明の他の形態（第４形態）に関わる自発光型表示装置は、上記第１形態の特徴に加えて、次の特徴を有する。
すなわち、第４形態の自発光型表示装置において、前記画素回路は、前記発光可能バイアスが前記発光ダイオードに印加されるが発光できない所定期間の空発光を、前記発光許可期間の最初に行い、前記空発光後の前記発光中断期間の開始とともに前記発光可能バイアスを前記非発光バイアスに変化させ、所定期間の経過を待って前記非発光バイアスを前記発光可能バイアスに戻す。
【手続補正６】
【補正対象書類名】明細書
【補正対象項目名】００１１
【補正方法】変更
【補正の内容】
【００１１】
本発明の他の形態（第５形態）に関わる自発光型表示装置は、上記第１形態の特徴に加えて、次の特徴を有する。
すなわち、第５形態の自発光型表示装置において、前記駆動回路は、前記発光可能バイアスが前記発光ダイオードに印加されるが発光できない所定期間の空発光を、前記発光許可期間の最後に行い、前記空発光後の前記発行停止処理の開始とともに前記発光可能バイアスを前記非発光バイアスに変化させるとともに、前記保持電圧を初期化する。
【手続補正７】
【補正対象書類名】明細書
【補正対象項目名】００１２
【補正方法】変更
【補正の内容】
【００１２】
本発明の他の形態（第６形態）に関わる自発光型表示装置は、上記第１形態の特徴に加えて、次の特徴を有する。
すなわち、第６形態の自発光型表示装置において、前記駆動回路は、前記発光許可期間内で、前記発光ダイオードが発光可能な長さの発光許可期間と前記発光中断期間を、所定回数繰り返す。
【手続補正８】
【補正対象書類名】明細書
【補正対象項目名】００１３
【補正方法】変更
【補正の内容】
【００１３】
本発明の他の形態（第７形態）に関わる自発光型表示装置の駆動方法は、発光ダイオード、前記発光ダイオードの駆動電流経路に接続される駆動トランジスタ、および、前記駆動トランジスタの制御ノードに結合する保持キャパシタを含む画素回路を備える自発光型表示装置の駆動方法であって、以下の諸ステップを含む。
（１）前記発光ダイオードを逆バイアスして発光停止を行う一定期間の発光停止処理ステップ、
（２）前記駆動トランジスタに対する補正とデータ電圧の前記制御ノードへの書き込みとを行う補正・書き込みステップ、
（３）前記書き込んだデータ電圧に応じて、前記発光ダイオードに発光可能バイアスを印加する発光可能バイアスの印加ステップ、
（４）前記発光可能バイアスの印加期間の間に、前記データ電圧を前記保持キャパシタに保持させたまま前記発光可能バイアスを非発光バイアスに変化させる発光中断のステップ。
【手続補正９】
【補正対象書類名】明細書
【補正対象項目名】００１６
【補正方法】変更
【補正の内容】
【００１６】
有機ＥＬ素子は、流れる電流量が極端に大きくなると経時変化により、その特性が低下する。この特性の低下は、前述した閾値電圧や移動度の補正である程度補償（補正）されるが、極端な特性低下は完全に補正できないため、特性低下は最初から小さいほうが望ましい。このため、発光輝度を上げる制御を行う場合、駆動電流量を上げるのではなく発光許可期間を長くする制御（パルスのデューティ比制御）を行うことがある。
また、画面周囲の環境が明るいときは全体の発光輝度を上げて画面を見やすくするために、上記補正の限界を考慮して発光許可期間を長くする制御を行うことがある。さらに、低消費電力化の要請から輝度を下げるが、このとき駆動電流量を下げるのではなく発光時間を短くして対処する場合がある。
【手続補正１０】
【補正対象書類名】明細書
【補正対象項目名】００２７
【補正方法】変更
【補正の内容】
【００２７】
画素回路３(1,1)、３(2,1)が垂直方向の映像信号線ＤＴＬ(１)に接続されている。同様に、画素回路３(1,2)、３(2,2)が垂直方向の映像信号線ＤＴＬ(２)に接続され、画素回路３(1,3)、３(2,3)が垂直方向の映像信号線ＤＴＬ(３)に接続されている。映像信号線ＤＴＬ(１)〜ＤＴＬ(３)は、Ｈセレクタ５によって駆動される。
第１行の画素回路３(1,1)、３(1,2)および３(1,3)が書込走査線ＷＳＬ(１)に接続されている。同様に、第２行の画素回路３(2,1)、３(2,2)および３(2,3)が書込走査線ＷＳＬ(２)に接続されている。書込走査線ＷＳＬ(１),ＷＳＬ(２)は、書き込み信号走査回路４２によって駆動される。
また、第１行の画素回路３(1,1)、３(1,2)および３(1,3)が電源走査線ＤＳＬ(１)に接続されている。同様に、第２行の画素回路３(2,1)、３(2,2)および３(2,3)が電源走査線ＤＳＬ(２)に接続されている。電源走査線ＤＳＬ(１),ＤＳＬ(２)は、水平画素ライン駆動回路４１によって駆動される。
【手続補正１１】
【補正対象書類名】明細書
【補正対象項目名】００３９
【補正方法】変更
【補正の内容】
【００３９】
図２の構成を基本とする画素回路では、閾値電圧補正時や移動度補正時に有機発光ダイオードＯＬＥＤを逆バイアスすると、詳細は後述するが、有機発光ダイオードＯＬＥＤの逆バイアス時の等価容量値が保持キャパシタＣｓの値より十分大きくできるため、有機発光ダイオードＯＬＥＤのアノードが電位的にほぼ固定され、補正精度が向上する。このため、逆バイアス状態で補正を行うことが望ましい。
カソード電位Ｖcathを接地せずに、カソードを所定の電圧線に接続しているのは、逆バイアスを行うためである。有機発光ダイオードＯＬＥＤを逆バイアスするには、例えば、電源駆動パルスＤＳ(i)の基準電位（低電位Ｖｃｃ＿Ｌ）より、カソード電位Ｖcathを大きくする。
【手続補正１２】
【補正対象書類名】明細書
【補正対象項目名】００８４
【補正方法】変更
【補正の内容】
【００８４】
ところで、発光許可期間（ＬＭ１）より前の書込み＆移動度補正期間（Ｗ＆μ）においては、駆動トランジスタＭｄはデータ電圧Ｖinに応じたドレイン電流Ｉｄｓを流そうとするが、実際に流せるとは限らない。その理由は、有機発光ダイオードＯＬＥＤに流れる電流値（Ｉｄ）が駆動トランジスタＭｄに流れる電流値（Ｉds)に比べて非常に小さいなら、サンプリングトランジスタＭｓがオンしているため、駆動トランジスタＭｄのゲート電位Ｖｇが“Ｖｏ＋Ｖin”に固定され、そこから閾値電圧Ｖth分下がった電位（“Ｖｏ＋Ｖin−Ｖth”）にソース電位Ｖｓが収束しようとするからである。よって、移動度補正の時間（ｔ）を幾ら長くしてもソース電位Ｖｓは上記収束点を超える電位にはなれない。移動度補正は、その収束までの速さの違いで移動度μの違いをモニタし、補正するものである。このため、最大輝度の白表示のデータ電圧Ｖinが入力され場合でも、上記収束になる前に移動度補正の時間（ｔ）の終点が決められる。